(57)【要約】【課題】釣り用リールのスイッチ操作部において、スイッチ操作部の誤操作を防止するとともに、スイッチ操作部の操作性を向上させる。【解決手段】モードスイッチＭＤは、ケース部材４の上面に形成された開口部４ｃに装着され、下方向に押圧操作可能なスイッチ操作部材５０を有している。開口部４ｃは、スイッチ操作部材５０が装着され略円形に形成された円形部４ａと、円形部４ａの周縁部の一部が略矩形に切り欠かれた矩形部４ｂとを有しており、スイッチ操作部材５０を指の腹で操作不能かつ指先で操作可能である。【選択図】　　　図４
2004022402.tif 000002
【特許請求の範囲】
【請求項１】
リール本体に設けられ、各種の操作を行うための釣り用リールのスイッチ操作部であって、
前記リール本体に設けられ、前記各種の操作を行うための操作面の少なくとも一部が外方に露出して配置され、前記操作面が前記リール本体と面一以下になるように移動可能に装着されたスイッチ操作部材と、
前記スイッチ操作部材の前記操作面が露出し、前記スイッチ操作部材を指の腹で操作不能かつ指先で操作可能とする開口部と、
を備えた釣り用リールのスイッチ操作部。
【請求項２】
前記開口部は前記スイッチ操作部材が装着される略円形部分の周縁部の一部が切り欠かれて形成されている、請求項１に記載の釣り用リールのスイッチ操作部。
【請求項３】
前記開口部は前記スイッチ操作部材の前記操作面が露出するようにスリット状に形成されている、請求項１に記載の釣り用リールのスイッチ操作部。
【請求項４】
前記開口部は略矩形状に形成されている、請求項１から３のいずれかに記載の釣り用リールのスイッチ操作部。
【請求項５】
前記開口部は略円形状に形成されている、請求項１から３のいずれかに記載の釣り用リールのスイッチ操作部。
【請求項６】
前記開口部は、長辺の長さが５ｍｍ以上２０ｍｍ以下の範囲であり、かつ短辺の長さが０．５ｍｍ以上４ｍｍ以下の範囲である、請求項１から５のいずれかに記載の釣り用リールのスイッチ操作部。
【請求項７】
前記開口部は短辺の長さが１ｍｍ以上２．５ｍｍ以下の範囲である、請求項６に記載の釣り用リールのスイッチ操作部。
【発明の詳細な説明】
【０００１】
【発明の属する技術分野】
本発明は、スイッチ操作部、特に、各種の操作を行うための釣り用リールのスイッチ操作部に関する。
【０００２】
【従来の技術】
一般に、釣り用リールは、リール本体と、リール本体に装着されたスプールと、スプールを回転させるハンドルと、リール本体の上部に装着されるケース部材と、ケース部材の上面に設けられ棚位置や現在の仕掛けの水深等を表示する液晶ディスプレイ等の表示部と、ケース部材の上面に設けられ各種のスイッチ操作を行うスイッチ操作部とを備えている。
【０００３】
この種のスイッチ操作部は、たとえばモータのオン、オフを行うモータ操作部材や、スプールの巻き上げ速度を変更する速度調整スイッチや、各種モードの切り替え等を行うモードスイッチや、各種の設定をリセットするリセットスイッチ等から構成されており、表示部の周囲に並べて配置されている。
このようなスイッチ操作部、特にモードスイッチやリセットスイッチ等の頻繁にスイッチ操作することが少ないスイッチ操作部では、スイッチ操作部の誤操作を防止するために、略小円形に形成された開口から露出して操作面がケース部材と面一以下になるように移動可能に装着されたスイッチ操作部を有しているものが知られている。このようなスイッチ操作部を操作するには、たとえばボールペン等の先端部が尖った部材を開口から挿入し、スイッチ操作部を押圧操作する。ここでは、操作面がケース部材と面一以下になるように装着され、かつ開口部が略小円形に形成されているので、釣人が誤ってスイッチ操作部を操作するのを防止することができる。
【０００４】
【発明が解決しようとする課題】
前記従来のスイッチ操作部では、開口部が略小円形に形成されているので、スイッチ操作部の誤操作を防止できる。しかし、たとえば実釣時にはボールペン等の先端部が尖った部材を携帯することが少なく、このためモードスイッチ等のスイッチ操作部を操作するのが困難になることがある。したがって、スイッチ操作部の操作性が低下するおそれが生じる。
【０００５】
本発明の課題は、釣り用リールのスイッチ操作部において、スイッチ操作部の誤操作を防止するとともに、スイッチ操作部の操作性を向上させることにある。
【０００６】
【課題を解決するための手段】
発明１に係るスイッチ操作部は、リール本体に設けられ各種の操作を行うための釣り用リールのスイッチ操作部であって、リール本体に設けられ各種の操作を行うための操作面の少なくとも一部が外方に露出して配置され操作面がリール本体と面一以下になるように移動可能に装着されたスイッチ操作部材と、スイッチ操作部材の前記操作面が露出し、前記スイッチ操作部材を指の腹で操作不能かつ指先で操作可能とする開口部とを備えている。
【０００７】
このスイッチ操作部では、操作面がケース部材と面一以下になるように装着され、開口部はスイッチ操作部材を指の腹で操作不能に形成されているので、釣人が誤って指の腹でスイッチ操作部材を操作するのを防止できる。さらに、開口部はスイッチ操作部材を指先で操作可能に形成されているので、従来のようにボールペン等の先端部が尖った部材を用いることなく指先で操作でき、スイッチ操作部の操作性を向上できる。
【０００８】
発明２に係るスイッチ操作部は、発明１のスイッチ操作部において、開口部はスイッチ操作部材が装着される略円形部分の周縁部の一部が切り欠かれて形成されている。この場合、開口部はスイッチ操作部材を指の腹で操作不能かつ指先で操作可能な切り欠き部であるので、たとえば切り欠き部の開口面積を小さく形成することにより、誤操作をさらに防止できる。
【０００９】
発明３に係るスイッチ操作部は、発明１のスイッチ操作部において、開口部はスイッチ操作部材の操作面が露出するようにスリット状に形成されている。この場合、開口部はスイッチ操作部材を指の腹で操作不能かつ指先で操作可能なスリット状に形成されているので、開口部の形成が容易になる。
発明４に係るスイッチ操作部は、発明１から３のいずれかのスイッチ操作部において、開口部は略矩形状に形成されている。この場合、開口部の形成が容易になる。
【００１０】
発明５に係るスイッチ操作部は、発明１から３のいずれかのスイッチ操作部において、開口部は略円形状に形成されている。この場合、開口部の強度を比較的高く維持できる。
発明６に係るスイッチ操作部は、発明１から５のいずれかのスイッチ操作部において、開口部は、長辺の長さが５ｍｍ以上２０ｍｍ以下の範囲であり、かつ短辺の長さが０．５ｍｍ以上４ｍｍ以下の範囲である。この場合、開口部を適切な寸法で形成することにより、一般的な釣人の使用において、スイッチ操作部材を指の腹で操作不能かつ指先で操作可能にできる。
【００１１】
発明７に係るスイッチ操作部は、発明６のスイッチ操作部において、開口部は短辺の長さが１ｍｍ以上２．５ｍｍ以下の範囲である。この場合、開口部の形成が容易になるとともに、一般的な釣人の使用において、スイッチ操作部材を爪先で操作可能にできる。
【００１２】
【発明の実施の形態】
本発明の一実施形態を採用した電動リールは、図１に示すように、釣り竿Ｒに装着されるリール本体１と、リール本体１の側方に配置されたスプール回転用のハンドル２と、ハンドル２のリール本体１側に配置されたドラグ調整用のスタードラグ３とを主に備えている。
【００１３】
リール本体１は、左右１対の側板７ａ、７ｂとそれらを連結する複数の連結部材８とからなるフレーム７と、フレーム７の左右を覆う左右の側カバー９ａ、９ｂとを有している。ハンドル２側（図１の右側）の側カバー９ｂには、ハンドル２の回転軸が回転自在に支持され、ハンドル２と逆側（図１の左側）の側カバー９ａには、外部電源ＰＳ接続用の電源コード１８を接続するためのコネクタ１９が設けられている。
【００１４】
リール本体１の内部には、ハンドル２に連結されたスプール１０が回転自在に支持されている。スプール１０の内部には、スプール１０を糸巻き上げ方向に回転駆動する直流駆動のモータ１２が配置されている。また、リール本体１のハンドル２側側面には、ハンドル２及びモータ１２とスプール１０との駆動伝達をオンオフするクラッチの操作レバー１１が配置されている。このクラッチをオンすると、仕掛けの自重による糸繰り出し中に、糸繰り出し動作を停止できる。
【００１５】
リール本体１の上部にはケース部材４が固定されている。ケース部材４は、リール本体１の上部に配置され、上面に表示窓が形成されている。ケース部材４の上面には、図２に示すように、表示窓を介して仕掛けの水深や棚位置を水面からと底からとの２つの基準で表示するための液晶ディスプレイからなる表示部５が臨んでおり、表示部５の周囲にはスイッチ操作部６が設けられている。
【００１６】
表示部５は、中央に配置された４桁の７セグメント表示の水深表示領域５ａと、その下方に配置された３桁の底水深表示領域５ｂと、水深表示領域５ａの図２右側に配置された変速段数表示領域５ｃとを有している。また、表示部５には、「底から」、「学習」、「指定」、「下巻」、「修正」、「入力」、「糸送止」、「０セット」の８つの文字を表示可能である。「底から」の文字は、水深表示モードが底からモードのときに表示される。
【００１７】
スイッチ操作部６は、表示部５の図１右側に上下に並べて配置された変速スイッチＳＫ及びモータスイッチＰＷと、左側に上下に並べて配置された底メモスイッチＳＭ及びモードスイッチＭＤとを有している。
モータスイッチＰＷは、モータ１２をオンオフするためのスイッチであり、モータスイッチＰＷがオン操作されている間モータ１２を回転させる寸動巻き上げと、モータスイッチＰＷが所定時間内に２回オン操作されたときモータ１２を回転させる連続巻き上げとを切り替え可能なスイッチとなっている。
【００１８】
変速スイッチＳＫは、駆動されたモータ１２を増減速するためのスイッチであり、上下の２つのスイッチと中立位置とを有するシーソー型のスイッチである。この変速スイッチＳＫの上スイッチＳＫ１を押すと増速し、下スイッチＳＫ２を押すと減速する。また、モータ１２を駆動していないときに上スイッチＳＫ１を所定時間以上押すと表示モードを「上から」と「底から」との間で切り替えできる。
【００１９】
底メモスイッチＳＭは仕掛けが底に到達したときに押されるスイッチであり、この底メモスイッチＳＭが押されたときの水深が底として設定される。また、この底メモスイッチＳＭを所定時間以上押すと、釣り糸が切れたとき等に水深表示の０点を新たな位置にセットできる。
モードスイッチＭＤは、５種の糸巻モードを設定するためのスイッチであり、たとえばこれを１回押すと学習モードに設定され、２回連続して押すと指定モード、３回連続して押すと下巻モード、４回連続して押すと修正モード、５回連続して押すと入力モードにそれぞれ糸巻モードが設定される。
【００２０】
モードスイッチＭＤは、図４及び図５に拡大して示すように、ケース部材４の上面４ｄ（図５参照）に形成された開口部４ｃに装着され、下方向に押圧操作可能なスイッチ操作部材５０を有している。開口部４ｃは、スイッチ操作部材５０が装着され略円形に形成された円形部４ａと、円形部４ａの周縁部の一部が略矩形に切り欠かれた矩形部４ｂとを有しており、スイッチ操作部材５０を指の腹で操作不能かつ指先で操作可能である。
【００２１】
スイッチ操作部材５０は、図４及び図５に拡大して示すように、スイッチ操作部材５０の上面である操作面５０ａが外方に露出するようにして配置されている。スイッチ操作部材５０の操作面５０ａは、ケース部材４の上面４ｄ（図５参照）と面一以下になるように開口部４ｃに装着されている。
ケース部材４内の上部には、表示部５と、表示制御及びモータ制御を行うリール制御部３０とが配置されている。ケース部材４内の下部にはモータ１２をＰＷＭ駆動するＰＷＭ駆動回路３１が配置されている。またケース部材４内の下部には、ブザー４０とスプールセンサ４１とが配置されている。
【００２２】
リール制御部３０は、ケース部材４内に配置されたＣＰＵ、ＲＡＭ、ＲＯＭ、Ｉ／Ｏインターフェイス等を含むマイクロコンピュータを含んでいる。リール制御部３０は、制御プログラムに従って表示部５の表示制御やモータ駆動制御等の各種の制御動作を実行する。リール制御部３０には、図３に示すように、スイッチ操作部６の各種のスイッチとスプール１０の回転方向及び回転数（回転位置データ）を検出するためのスプールセンサ４１とスプールカウンタ４２とが接続されている。また、リール制御部３０には、ブザー４０とＰＷＭ駆動回路３１と表示部５と記憶部４３と他の入出力部とが接続されている。
【００２３】
このスイッチ操作部６では、たとえば前述の糸巻モードを設定する際に、モードスイッチＭＤを押圧操作する。このとき、釣人は指先を開口部４ｃに挿入し、スイッチ操作部材５０の操作面５０ａを押圧する。
このようなスイッチ操作部６では、スイッチ操作部材５０の操作面５０ａがケース部材４の上面４ｄと面一以下になるように装着され、開口部４ｃはスイッチ操作部材５０を指の腹で操作不能に形成されているので、釣人が誤って指の腹でスイッチ操作部材５０を操作するのを防止できる。また、開口部４ｃはスイッチ操作部材５０を指先で操作可能に形成されているので、従来のようにボールペン等の先端部が尖った部材を用いることなく指先で操作でき、スイッチ操作部６の操作性を向上できる。
【００２４】
〔他の実施形態〕
（ａ）　前記実施形態では、本発明におけるスイッチ操作部６としてモードスイッチＭＤを例にあげて説明したが、これに限定されるものではなく、他のスイッチ操作部６や図示しない各種の設定をリセットするリセットスイッチ等にも本発明を適用できる。
【００２５】
（ｂ）　図６及び図７に示すように、モードスイッチＭＤは、ケース部材４の上面４ｄ（図７参照）に操作面５０ａが露出するように形成された開口部４ｃに装着され、下方向に押圧操作可能なスイッチ操作部材５０と、スイッチ操作部材５０の下部に設けられたスイッチ本体部材５１とを有している。
スイッチ操作部材５０は、図６及び図７に拡大して示すように、スイッチ操作部材５０の上面である操作面５０ａが外方に露出するようにして配置されている。スイッチ操作部材５０の操作面５０ａは、ケース部材４の上面４ｄ（図７参照）と面一以下になるように開口部４ｃに装着されている。
【００２６】
開口部４ｃは、図６及び図７に拡大して示すように、スイッチ操作部材５０を指の腹で操作不能かつ指先で操作可能とするスリット状の開口である。開口部４ｃは一方向に細長い略矩形に形成されている。開口部４ｃは、図６に示すように、長辺Ａの長さが５ｍｍ以上２０ｍｍ以下の範囲になるように形成され、かつ短辺Ｂの長さが０．５ｍｍ以上４ｍｍ以下の範囲、望ましくは１ｍｍ以上２．５ｍｍ以下の範囲になるように形成されている。
【００２７】
ここでは、前記実施形態と同様に、スイッチ操作部材５０を指の腹で操作不能かつ指先又は爪先で操作可能な開口部４ｃを形成することにより、スイッチ操作部６の誤操作を防止するとともに、スイッチ操作部６の操作性を向上できる。
（ｃ）　前記他の実施形態（ｂ）では、開口部４ｃが略矩形状に形成されていたが、図８に示すように、略円形状に形成してもよい。
【００２８】
【発明の効果】
本発明によれば、釣り用リールのスイッチ操作部材において、スイッチ操作部材を指の腹で操作不能かつ指先で操作可能な開口部を形成することにより、スイッチ操作部の誤操作を防止するとともに、スイッチ操作部の操作性を向上できる。
【図面の簡単な説明】
【図１】本発明の一実施形態を採用した電動リールの平面図。
【図２】前記電動リールの表示部周辺の平面図。
【図３】前記電動リールの制御ブロック図。
【図４】前記電動リールのスイッチ操作部の拡大平面図。
【図５】前記スイッチ操作部の拡大側面図。
【図６】他の実施形態の図４に相当する図。
【図７】他の実施形態の図５に相当する図。
【図８】他の実施形態の図６に相当する図。
【符号の説明】
１　リール本体
４　ケース部材
４ｃ　開口部
４ｄ　上面
６　スイッチ操作部
５０　スイッチ操作部材
５０ａ　操作面
５１　スイッチ本体部材
ＭＤ　モードスイッチ
【図１】
2004022402.tif 000003
【図２】
2004022402.tif 000004
【図３】
2004022402.tif 000005
【図４】
2004022402.tif 000006
【図５】
2004022402.tif 000007
【図６】
2004022402.tif 000008
【図７】
2004022402.tif 000009
【図８】
2004022402.tif 000010